(57)【要約】      （修正有）【課題】フェンスに作用する外力をブロック塀の面全体に分散することで外力に強く、かつ、ブロック塀全体を厚くする必要のないフェンス基礎用ブロック及びそのフェンス基礎用ブロックを用いたフェンスを提供する。【解決手段】フェンスの支柱を挿入し、モルタルを打設することによってフェンスの支柱を支持するための竪穴１２を備えたフェンス基礎用ブロック１Ａにおいて、ブロック１Ａのフェイスシェル１１の一部分１１ａを外方に張り出させることによって、竪穴１２のブロック１Ａの厚さ方向の寸法を大きく形成する。【選択図】図１−１
0003221370.tif 000002
【実用新案登録請求の範囲】
【請求項１】
フェンスの支柱を挿入し、モルタルを打設することによってフェンスの支柱を支持するための竪穴を備えたフェンス基礎用ブロックにおいて、ブロックのフェイスシェルの一部分を外方に張り出させることによって、竪穴のブロックの厚さ方向の寸法を大きく形成してなることを特徴とするフェンス基礎用ブロック。
【請求項２】
請求項１に記載のフェンス基礎用ブロックを用いたフェンスにおいて、フェンスの支柱のフェンス取付部が、フェンスの支柱の竪穴挿入部よりブロックの厚さ方向の中心側に位置するように、フェンスの支柱の竪穴挿入部とフェンス取付部との間に屈曲部を形成してなることを特徴とするフェンス基礎用ブロックを用いたフェンス。
【考案の詳細な説明】
【技術分野】
【０００１】
本考案は、フェンス基礎用ブロック及びそのフェンス基礎用ブロックを用いたフェンスに関するものである。
【背景技術】
【０００２】
従来、地上高さが１〜３ｍ程度の比較的高さの低いフェンスを建てる場合、竪穴を備えたフェンス基礎用ブロックを独立した状態で地中に埋設し、ブロックの竪穴にフェンスの支柱を挿入し、モルタルを打設することによってフェンスの支柱を支持する方法（例えば、特許文献１〜２参照。）や、汎用のブロックを用いてブロック塀を構築し、ブロックの竪穴にフェンスの支柱を挿入し、モルタルを打設することによってフェンスの支柱を支持する方法（例えば、特許文献３参照。）等が採用されている。
【０００３】
しかしながら、独立した状態で地中に埋設したフェンス基礎用ブロックを基礎に用いる方法の場合、基礎の構造が、フェンス基礎用ブロックを梁等で繋げずに独立した状態で地中に埋設する構造のため、地震や台風の際にフェンスに揺れや風圧等の外力がかかることによって、基礎が一体的に動かないためフェンスが破断したり、フェンスの面がずれる等の問題があった。
【０００４】
一方、汎用のブロックを用いて構築したブロック塀を基礎に用いる方法の場合、ブロック塀はフェンスに対して連続性を持った基礎として機能するので、上記独立した基礎の問題は解消される。
【０００５】
ところで、ブロック塀の上にフェンスを建てる場合、汎用のブロックでは、竪穴の大きささが十分でないため、ブロックの竪穴に挿入したフェンスの支柱と、ブロックを水平方向に繋ぐ横筋と呼ばれる水平方向の鉄筋とが干渉することになるため、横筋をフェンスの支柱が挿入される部分で切断する必要があった。
しかしながら、このように横筋を切断すると、地震や台風の際にフェンスに揺れや風圧等の外力がかかることによって、横筋が連続していないフェンスの支柱が挿入された部分で、ブロック塀が割烈破壊されたり、部分的に破壊される等の問題があった。特に、重量のあるフェンスや風の透過性が低い目隠しフェンスと呼ばれる板状のフェンスの場合、フェンスの支柱に作用する外力が大きく、被害が多発していた。
【０００６】
この問題に対処するために、厚みのあるブロック、すなわち、フェンスの支柱を挿入する竪穴のブロックの厚さ方向の寸法が大きなブロックを使用し、ブロックの竪穴に挿入したフェンスの支柱と、ブロックを水平方向に繋ぐ横筋とが干渉しないようにして、フェンスの支柱が挿入された部分で、横筋を切断することなく連続して設けるようにすることも考えられるが、ブロック塀全体が厚くなり、それに応じて基礎も大きくなり、経済性に乏しいという問題があった。
【先行技術文献】
【特許文献】
【０００７】
【特許文献１】特開２０１３−１４７８９９号公報
【特許文献２】特開２０１４−１０１７４１号公報
【特許文献３】特開平１０−２８０７３９号公報
【考案の概要】
【考案が解決しようとする課題】
【０００８】
本考案は、上記従来のフェンスの基礎に関する問題点に鑑み、フェンスに作用する外力をブロック塀の面全体に分散することで外力に強く、かつ、ブロック塀全体を厚くする必要のないフェンス基礎用ブロック及びそのフェンス基礎用ブロックを用いたフェンスを提供することを目的とする。
【課題を解決するための手段】
【０００９】
上記目的を達成するため、本考案のフェンス基礎用ブロックは、フェンスの支柱を挿入し、モルタルを打設することによってフェンスの支柱を支持するための竪穴を備えたフェンス基礎用ブロックにおいて、ブロックのフェイスシェルの一部分を外方に張り出させることによって、竪穴のブロックの厚さ方向の寸法を大きく形成してなることを特徴とする。
【００１０】
また、上記フェンス基礎用ブロックを用いた本考案のフェンスは、フェンスの支柱のフェンス取付部が、フェンスの支柱の竪穴挿入部よりブロックの厚さ方向の中心側に位置するように、フェンスの支柱の竪穴挿入部とフェンス取付部との間に屈曲部を形成してなることを特徴とする。
【考案の効果】
【００１１】
本考案のフェンス基礎用ブロックによれば、フェンスの支柱を挿入し、モルタルを打設することによってフェンスの支柱を支持するための竪穴を備えたフェンス基礎用ブロックにおいて、ブロックのフェイスシェルの一部分を外方に張り出させることによって、竪穴のブロックの厚さ方向の寸法を大きく形成してなるようにすることにより、ブロック塀全体を厚くすることなく、ブロックの竪穴に挿入したフェンスの支柱と、ブロックを水平方向に繋ぐ横筋とが干渉しないようにすることが可能となり、フェンスの支柱が挿入された部分で、横筋を切断することなく連続して設けるようにすることによって、フェンスに作用する外力をブロック塀の面全体に分散することで外力に強い、フェンス基礎用ブロックを提供することができる。
【００１２】
また、上記フェンス基礎用ブロックを用いた本考案のフェンスによれば、フェンスの支柱のフェンス取付部が、フェンスの支柱の竪穴挿入部よりブロックの厚さ方向の中心側に位置するように、フェンスの支柱の竪穴挿入部とフェンス取付部との間に屈曲部を形成してなるようにすることにより、フェンスをブロック塀の厚さ方向の中心に寄せて建てることができ、敷地の空間が狭小になることを防止することができる。
【図面の簡単な説明】
【００１３】
【図１−１】本考案のフェンス基礎用ブロックの第１実施例を示す平面図である。
【図１−２】同正面図である。
【図１−３】同底面図である。
【図１−４】同側面図である。
【図１−５】同図１−１のＡ−Ａ断面図である。
【図１−６】同フェンスの支柱を配置した状態を示す図１−１のＡ−Ａ断面図である。
【図２−１】本考案のフェンス基礎用ブロックの第２実施例を示す平面図である。
【図２−２】同底面図である。
【図３−１】本考案のフェンス基礎用ブロックの第３実施例を示す平面図である。
【図３−２】同正面図である。
【図３−３】同底面図である。
【図３−４】同側面図である。
【図３−５】同図３−１のＢ−Ｂ断面図である。
【考案を実施するための形態】
【００１４】
以下、本考案のフェンス基礎用ブロック及びそのフェンス基礎用ブロックを用いたフェンスの実施の形態を、図面に基づいて説明する。
【００１５】
図１−１〜図１−６に、本考案のフェンス基礎用ブロック及びそのフェンス基礎用ブロックを用いたフェンスの第１実施例を示す。
このフェンス基礎用ブロック１Ａは、フェンスの支柱２を挿入し、モルタルを打設することによってフェンスの支柱２を支持するための竪穴１２を備えたフェンス基礎用ブロック１Ａにおいて、ブロック１Ａの一方のフェイスシェル１１の一部分１１ａを外方に張り出させることによって、竪穴１２のブロック１Ａの厚さ方向の寸法を大きく形成するようにしている。
【００１６】
ここで、フェンス基礎用ブロック１Ａは、ブロック１Ａの一方のフェイスシェル１１の一部分１１ａを外方に張り出させるようにしたことを除いて、基本的には、汎用のコンクリートブロック（ＪＩＳ  Ａ  ５４０６  建築用コンクリートブロック）に準じたものとすることができる。
【００１７】
竪穴１２のブロック１Ａの厚さ方向の寸法は、他の竪穴１３や竪溝１４の厚さ方向の寸法よりも、一方向に２０〜６０ｍｍ程度、好ましくは、３０〜５０ｍｍ程度、より好ましくは、３５〜４５ｍｍ程度（本実施例においては、４０ｍｍ程度。）大きく形成することによって、フェンスの支柱２の十分な挿入空間２０（７０×７０〜１１０×１１０ｍｍ程度、好ましくは、８０×８０〜１００×１００ｍｍ程度、より好ましくは、８５×８５〜９５×９５ｍｍ程度の空間（本実施例においては、９０×９０ｍｍ程度の空間。））を形成することで、ブロック１Ａの竪穴１２に挿入したフェンスの支柱２（竪穴挿入部２１（通常、一辺３０〜５０ｍｍ程度の角パイプや直径３０〜５０ｍｍ程度のパイプ。））と、ブロック１Ａを水平方向に繋ぐために、ブロック１Ａの横溝１６内（横溝１６の中心位置）に配設する横筋３とが干渉しないようにする。
【００１８】
ところで、フェンス基礎用ブロック１Ａは、ブロック塀を構築するに当たって、フェンスの支柱２が位置する箇所に配置し、それ以外の箇所には、汎用のブロック１Ｄを配置するようにすることもできる。
【００１９】
また、フェンス基礎用ブロック１Ａは、上下逆に配置することもできる。
【００２０】
また、このフェンス基礎用ブロック１Ａにおいては、ブロック１Ａの一方のフェイスシェル１１の一部分１１ａとして、中間部を外方に張り出させることによって、竪穴１２のブロック１Ａの厚さ方向の寸法を大きく形成するようにしたが、外方に張り出させる箇所は、これに限定されず、例えば、隣接するブロックとで竪穴を形成する竪溝１４の箇所で、フェイスシェル１１を外方に張り出させるようにすることもできる。
【００２１】
このフェンス基礎用ブロック１Ａは、ブロック１Ａの一方のフェイスシェル１１の一部分１１ａを外方に張り出させることによって、竪穴１２のブロック１Ａの厚さ方向の寸法を大きく形成してなるようにすることにより、ブロック塀全体を厚くすることなく、ブロック１Ａの竪穴１２に挿入したフェンスの支柱２（竪穴挿入部２１）と、ブロック１Ａを水平方向に繋ぐ横筋３とが干渉しないようにすることが可能となり、フェンスの支柱２が挿入された部分で、横筋３を切断することなく連続して設けるようにすることによって、フェンスに作用する外力をブロック塀の面全体に分散することで外力に強い、フェンス基礎用ブロックを提供することができる。
【００２２】
ところで、このフェンス基礎用ブロック１Ａに用いるフェンスの支柱２には、通常、汎用の直立した支柱を用いるようにするが、このほか、図１−６に示すように、支柱２のフェンス取付部２２が、フェンスの支柱２の竪穴挿入部２１よりブロック１Ａの厚さ方向の中心側に位置するように、フェンスの支柱２の竪穴挿入部２１とフェンス取付部２２との間に屈曲部２３を形成してなるようにした支柱を用いることもできる。
ここで、屈曲部２３の形状は、なだらかな屈曲形状から略直角の急峻な屈曲形状まで、任意の屈曲形状とすることができる。
このように、屈曲部２３を形成した支柱２を用いることにより、フェンスをブロック塀の厚さ方向の中心に寄せて建てることができ、敷地の空間が狭小になることを防止することができる。
【００２３】
図２−１〜図２−２に、本考案のフェンス基礎用ブロックの第２実施例を示す。
このフェンス基礎用ブロック１Ｂは、ブロック塀を構築するに当たって、ブロック塀の端部に用いられるもので、一方の竪穴１３を省略するとともに、他方の竪穴１３及び竪溝１４に代えて、竪穴１５を形成するようにしたものである。
なお、本実施例のフェンス基礎用ブロック１Ｂのその他の構成及び作用は、第１実施例のフェンス基礎用ブロック１Ａと同様である。
【００２４】
図３−１〜図３−５に、本考案のフェンス基礎用ブロックの第３実施例を示す。
このフェンス基礎用ブロック１Ｃは、ブロック塀を構築するに当たって、汎用のブロック１Ｄと組み合わせて用いられるもので、両方の竪穴１３を省略するようにしたものである。
なお、本実施例のフェンス基礎用ブロック１Ｃのその他の構成及び作用は、第１実施例のフェンス基礎用ブロック１Ａと同様である。
【００２５】
以上、本考案のフェンス基礎用ブロック及びそのフェンス基礎用ブロックを用いたフェンスについて、複数の実施例に基づいて説明したが、本考案は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２６】
本考案のフェンス基礎用ブロック及びそのフェンス基礎用ブロックを用いたフェンスは、フェンスに作用する外力をブロック塀の面全体に分散することで外力に強く、かつ、ブロック塀全体を厚くする必要のないという特性を有していることから、フェンス基礎用ブロック及びそのフェンス基礎用ブロックを用いたフェンスの用途に好適に用いることができる。
【符号の説明】
【００２７】
１Ａ  フェンス基礎用ブロック
１Ｂ  フェンス基礎用ブロック
１Ｃ  フェンス基礎用ブロック
１Ｄ  ブロック
１１  フェイスシェル
１２  竪穴
１３  竪穴
１４  竪溝
１５  竪穴
１６  横溝
２  支柱
２１  竪穴挿入部
２２  フェンス取付部
２３  屈曲部
３  横筋
【図１−１】
0003221370.tif 000003
【図１−２】
0003221370.tif 000004
【図１−３】
0003221370.tif 000005
【図１−４】
0003221370.tif 000006
【図１−５】
0003221370.tif 000007
【図１−６】
0003221370.tif 000008
【図２−１】
0003221370.tif 000009
【図２−２】
0003221370.tif 000010
【図３−１】
0003221370.tif 000011
【図３−２】
0003221370.tif 000012
【図３−３】
0003221370.tif 000013
【図３−４】
0003221370.tif 000014
【図３−５】
0003221370.tif 000015